(57)【要約】【課題】複数枚のサブトレイをメイントレイに収容し、所定のサブトレイにセットしているディスクを交換する為に、該サブトレイの上側に位置する他のサブトレイがメイントレイと共に搬出されないようにロックするディスク選択装置であって、プランジャーを使用しないことで静かな切り換え操作が出来て、製作コストが安くなるディスク選択装置の提供。【解決手段】各サブトレイ３ａ，３ｂ，３ｃの側部には穴１９，１９・・を貫通して設けている。そして穴１９に係脱するセレクターサブトレイ１０を有し、該セレクターサブトレイ１０は往復スライドするセレクター９と連動する。セレクター９はモータにて駆動されるギアカム７の回転に伴って揺動するレバーセレクター８と連動している。【選択図】        図３
2005018935.tif 000002
【特許請求の範囲】
【請求項１】
複数枚のサブトレイをメイントレイに収容し、所定のサブトレイにセットしているディスクを交換する為に、該サブトレイの上側に位置する他のサブトレイがメイントレイと共に搬出されないようにロックするディスク選択装置において、各サブトレイの側部には穴を貫通して設け、該穴に係脱するセレクターサブトレイを有し、該セレクターサブトレイはモータにて駆動されるギアカムの回転に伴って揺動するレバーセレクターと連動したことを特徴とするディスクチェンジャーにおけるディスク選択装置。
【請求項２】
複数枚のサブトレイをメイントレイに収容し、所定のサブトレイにセットしているディスクを交換する為に、該サブトレイの上側に位置する他のサブトレイがメイントレイと共に搬出されないようにロックするディスク選択装置において、各サブトレイの側部には穴を貫通して設け、該穴に係脱するセレクターサブトレイを有し、該セレクターサブトレイは往復スライドするセレクターと連動し、セレクターはモータにて駆動されるギアカムの回転に伴って揺動するレバーセレクターと連動したことを特徴とするディスクチェンジャーにおけるディスク選択装置。
【請求項３】
上記レバーセレクターの先端にはカギを形成し、該カギがセレクターに設けたピンに係止して連動した請求項２記載のディスクチェンジャーにおけるディスク選択装置。
【請求項４】
セレクターに近接してラチェットを揺動可能に取付け、セレクターに備えたピンをラチェットのツメに係止して位置決め・停止するようにした請求項３記載のディスクチェンジャーにおけるディスク選択装置。
【発明の詳細な説明】
【０００１】
【発明の属する技術分野】
本発明はＣＤやＤＶＤ等の光ディスク記録媒体を複数枚収納し、選択された１枚の記録媒体を自動的に記録又は再生を行なうディスクチェンジャー装置であり、該記録媒体を載置して搬送する複数枚のトレイを備えたトレイ方式のディスクチェンジャーのディスク選択装置に関するものである。
【０００２】
【従来の技術】
ディスクチェンジャー装置とは、ＣＤ等の光ディスク記録媒体を複数枚収納することが出来、収納されている複数枚の光ディスク記録媒体の１枚を選択して記録及び再生を行なうことが出来、この種のディスクチェンジャー装置は広く使用され、その形態も色々ある。ところが、ディスクチェンジャー装置は複数のディスクを収容し、これを選択して記録・再生を行なう為に、又選択されたディスクを交換しなくてはならない為に、数多くの動作が必要となり、必然的にモータの個数が多くなる。一方、該モータの個数を限定した構造とするならば、各動作を選択して行なう為に動力の切り換え機構が必要に成る。
【０００３】
例えば、特開２００２−２４３０１５号に係る「回転伝達切換機構」は、キャリッジ（サブトレイ）のイジェクト動作（ディスク交換位置へ搬送する動作）とプレイ動作（ディスク再生位置へ搬送する動作）を単一モータで行い、駆動経路の切換にプランジャを用いて構成したものであり、「回転ギアを回転軸方向へ移動させるレバーを備えたプランジャと、選択された場合にイジェクト動作あるいはプレイ動作が可能となるように重ねて設置されたキャリッジと、イジェクト動作及びプレイ動作の駆動手段と、イジェクト動作とプレイ動作の何れか選択された側に動作伝達を切り換える動作切換手段と、イジェクト動作又はプレイ動作を行なう動作伝達手段を備え、第１のギア及び第２のギアの何れか一方を動作切換系統に接続し、もう一方を動作伝達系統に接続する。そして、回転ギアの回転位置を切換第１のギア或いは第２のギアの何れかに噛み合うように係脱させる。」
【０００４】
しかし、上記プランジャを使用することで切り換える度に騒音が発生し、プランジャの部品コストが高くなり、消費電力は増加し、発熱及び火災の要因となる。又電気配線及び回路基板が増加し、装置は必然的に大型化し、該プランジャから発生する磁界の他の部品への影響が懸念される。
【０００５】
特開平１０−１３４４７４号に係る「ディスクチェンジャー付きディスク再生装置」は、ディスク交換の為のディスクトレイ移送動作とディスクローディングの為のディスクトレイ移送動作を１つのモータを駆動源として行い、動力伝達切替機構を簡素化したもので、「ディスクトレイをディスク収納位置と装置外の位置との間で水平に移動する第１移送手段と、ディスクトレイをディスク収納位置と再生位置との間で移送する第２移送手段とは第１駆動手段で選択的に駆動され、第１駆動手段の動力伝達先は第１駆動手段の初期状態での回転方向により決定される。」
ところが、トレイの搬送動作以外に、トラバースユニットの昇降動作、ピックアップの駆動動作に夫々モータが必要になり、合計３個のモータで構成している。その為に、ディスクチェンジャーの製作コストはその分だけ高く成ってしまい、サイズも大型化する。
【０００６】
【発明が解決しようとする課題】
このように、従来のディスクチェンジャーの駆動装置には上記のごとき問題がある。本発明が解決しようとする課題はこれら問題点であり、１個のモータを使用して動力の切り換えを行い、しかもプランジャを使用しないことで静かな切り換え操作が行ない得て、製作コストが安いディスク選択装置を提供する。
【０００７】
【課題を解決する為の手段】
本発明のディスクチェンジャー装置はメイントレイに複数枚のサブトレイが収容され、ディスク交換に際して任意のサブトレイがメイントレイに載って搬出される。すなわち、所定のサブトレイに載置されているディスクの交換を行なう場合、該サブトレイより上側に位置する他のサブトレイをロックして、メイントレイと共に搬出されないようにしている。そこで、サブトレイには貫通した穴を側部に設け、該穴にセレクターサブトレイが挿入することでサブトレイはロックされて搬出されることはない。
【０００８】
上記セレクターサブトレイの上記穴への挿入動作は特に限定しないこととし、例えば、軸を中心とした揺動であったり、又は直線運動とすることもあり、セレクターサブトレイが上段サブトレイの穴に挿入しない状態では１枚を除いた他の全てのサブトレイがメイントレイと共に搬出され、最上段サブトレイの穴に挿入すれば該サブトレイはロックされ、２段目のサブトレイの穴にセレクターサブトレイが挿入されるならば、最上段と２段目のサブトレイがロックされる。
【０００９】
ところで、該セレクターサブトレイを作動する手段としてモータにて回転するギアカムが用いられ、このギアカムに揺動可能なレバーセレクターを取付け、該ギアカムの回転によってレバーセレクターを揺動させ、該レバーセレクターの揺動にて上記セレクターサブトレイを動作させるように構成している。以下、本発明に係る実施例を図面に基づいて詳細に説明する。
【００１０】
【実施例】
図１はディスクチェンジャーの一部外観図を示し、メイントレイが引き出されている場合を示している。同図の１は本体フレーム、２はメイントレイ、３はサブトレイを各々示し、３枚のサブトレイ３ａ，３ｂ，３ｃはメイントレイ２に積み重ねられて収容されている。そして、サブトレイ３ａ，３ｂ，３ｃには大小２種類のディスクが載置出来るように、同心を成した外周縁４ａ，４ｂが段差をもって形成されている。
【００１１】
そして、各サブトレイ３ａ，３ｂ，３ｃにディスクを載置する場合、又ディスクを取外す場合には、上側に位置するサブトレイはロックされて本体フレーム１に止まり、下側に位置するサブトレイと共にメイントレイ２がディスク交換位置へ搬送される。このように、サブトレイ３ａ，３ｂ，３ｃはメイントレイ２に収容されて、該メイントレイ２と共に本体フレーム１からの出し入れが行なわれる。
【００１２】
同図はメイントレイ２が突出してディスク交換位置（ディスク取出し位置）とディスク待機位置の間に位置し、該メイントレイ２には２枚のサブトレイ３ｂ，３ｃが収容され、中段に位置するサブトレイ３ｂにディスクを載置することが出来る。そして、ディスク交換位置からメイントレイ２が後退して本体フレーム１に収容され、ディスク待機位置へ搬送される。
【００１３】
下段サブトレイ３ｃに載置されているディスクを交換する際には、上段サブトレイ３ａと中段サブトレイ３ｂは本体フレーム１にロックされ、又上段サブトレイ３ａに載置されているディスク交換を行なう場合には、中段サブトレイ３ｂ又は下段サブトレイ３ｃの何れかがロックされてメイントレイ２によってディスク交換位置へ搬送されない。
【００１４】
図２はディスクチェンジャーの内部構造図を示している。同図はメイントレイ２が本体フレーム１から引き出された状態であり、ディスクの位置に応じて３つの領域に区分することが出来る。すなわち、同図の手前側からディスク交換位置、ディスク待機位置、及びディスク再生位置に区分され、サブトレイ３ａ，３ｂ，３ｃに各ディスクをセットした状態でメイントレイ２が後退して本体フレーム１に収容されるならば、ディスク待機位置となる。
【００１５】
ディスク待機位置にある各ディスクは、サブトレイ３ａ，３ｂ，３ｃと共に後方のディスク再生位置へ搬送されて、トラバースユニット５のターンテーブル６に装着される。そして、ディスクの記録・再生が行なわれる。その為に、ターンテーブル６を備えているトラバースユニット５を搬送されるサブトレイの位置に合うように垂直方向に移動し、選択して後退した所定のサブトレイ３ａ，３ｂ，３ｃのディスクを装着することが出来る。
【００１６】
ところで、サブトレイをメイントレイと共に搬出して、該サブトレイに載置されているディスクを交換することが出来るが、本発明はディスクの交換が出来るように所定のサブトレイの選択を簡単に行なうことが出来るようにしている。図３はディスク選択装置を表わしている本発明の実施例である。同図の７はギアカム、８はレバーセレクター、９はセレクター、１０はセレクターサブトレイを夫々示している。
【００１７】
レバーセレクター８は本体フレーム１に設けている軸１１に軸支され、先端１２はギアカム７に設けているカム１３に接している。そこで、ギアカム７が回転するならば、カム１３に接している先端１２はカム１３に沿って移動し、その結果レバーセレクター８は軸１１を中心として揺動することが出来る。そして、該レバーセレクター８はサブトレイ３の外側に設けているセレクター９まで延びている。
【００１８】
セレクター９のコーナーにはピン１４が設けられ、該ピン１４にはレバーセレクター８から延びているカギ１５が係止している。そこで、レバーセレクター８が揺動してカギ１５がピン１４を押圧するならば、セレクター９はピン１４と共にスライドしてセレクターサブトレイ１０の端部１６を押圧する。又、セレクターサブトレイ１０は軸１７，１７にて揺動可能に軸支されている。
【００１９】
セレクターサブトレイ１０の先端１８は下方へ屈曲しているが、図３に示す該セレクターサブトレイ１０の先端１８はサブトレイ３に設けている穴１９に嵌入していない。そして、セレクターサブトレイ１０にはバネ２０が取付けられ、穴１９から外れる方向にバネ力を付勢し、端部１６がセレクター９の先端に常に当接している。
【００２０】
図４はセレクターサブトレイ１０の先端１８が上段に位置するサブトレイ３ａの穴１９ａに嵌入した場合である。ギアカム７が回転してレバーセレクター８が揺動し、そしてカギ１５がピン１４に係止して押圧するならば、セレクター９はスライドしてセレクターサブトレイ１０の端部１６を押上げ、その結果、先端１８は降下して穴１９ａに嵌る。従って、メイントレイ２が搬出されてもサブトレイ３ａはロックされて出て来ない。
【００２１】
同じく、図５はギアカム７がさらに回転してレバーセレクター８が揺動し、カギ１５がピン１４を押圧してセレクター９をスライドし、セレクターサブトレイ１０の先端１８をさらに降下して、サブトレイ３ａの穴１９ａ及びサブトレイ３ｂの穴１９ｂに嵌っている。従って、上段と中段のサブトレイ３ａ，３ｂはロックされて、下段のサブトレイ３ｃだけがメイントレイと共に搬出される。
【００２２】
ここで、上記セレクター９にはラチェット２１が揺動可能に取付けられ、セレクター９に設けているピン１４はラチェット２１のツメ２２に係止してセレクター９が止着される。又、ラチェット２１はスプリング２３によって引張られ、ツメ２２に係止したピン１４は独りでに外れないようになる。
【００２３】
図３の状態からカギ１５にて押圧されたピン１４はツメ２２ａの湾曲した背面に接し、ラチェット２１を揺動させて該ツメ２２ａに係止する。セレクターサブトレイ１０に取付けられているバネ２０のバネ力により、セレクター９は押下げられるが、ピン１４がツメ２２ａに係止することで該セレクター９は位置決めされて停止する。すなわち、セレクターサブトレイ１０を正しく位置決めすることになり、所定のサブトレイ３をロックすることが出来る。
【００２４】
このように、所定のサブトレイ３がロックされてメイントレイ２と共にディスク交換位置へ搬出されないようになる。そしてサブトレイ３の穴１９に嵌入したセレクターサブトレイ１０の先端１８は、メイントレイ２がディスク交換位置に搬出される際にラチェット２１の先端を押圧して揺動させ、ツメ２２に係止しているピン１４を開放して該セレクターサブトレイ１０は元の位置（図３の状態）に戻される。
【００２５】
図６はギアカム７のモードを示しているが、該ギアカム７にはその裏側にリブ２４，２４・・、及びリブ２５，２５・・が同心円上に設けられている。そしてセンサー２６，２７を配置して、ギアカム７が回転することでリブ２４，２４・・はセンサー２６を通過し、リブ２５，２５・・はセンサー２７を通過することが出来る。
【００２６】
（ＭＯＤＥ１）はイジェクト完了ポジションを示している。
イジェクトボタンを押すことで、モータ２８（図２参照）が回転してギアカム７が廻り、同時にギア２９も回転する。そして、この位置に来たところでモータ２８の回転が停止してメイントレイ２のイジェクトが完了する。
【００２７】
（ＭＯＤＥ２）は起動ポジション
メイントレイ２の先端を指で押圧することで該メイントレイ２はスライド後退し、ギアカム７が反時計方向へ回転して、この位置に来たところでモータ２８が稼動してメイントレイ２は自動的に引き込まれる。
（ＭＯＤＥ３）はスタンバイポジション
モータ２８が稼動することでギア２９が回転し、メイントレイ２は待機位置に収納され、録画・再生動作に入る為のスタンバイのポジションとなる。
【００２８】
（ＭＯＤＥ４）はレバークラッチダウンポジション
レバークラッチ３０をダウンさせることで該レバークラッチ先端に取付けているギアクラッチ３１がギアカム３２と噛み合い、トラバースユニット５を上下動することが出来、所定の位置で停止する。レバークラッチ３０の動作は録画・再生するディスクを選択する為に、ディスクチェンジャーのフロントパネルの操作ボタンを押して行なわれる。
【００２９】
（ＭＯＤＥ５）はイジェクトセレクト１
ディスクを交換する場合、上段のサブトレイ３ａがメイントレイ２と共にイジェクトしないようにロックされる。フロントパネルの操作ボタンを押すことでギアカム７が回転し、この位置に達したところで所定のサブトレイ３ａが選択される。すなわち、前記図４に示すようにセレクターサブトレイ１０の先端１８がサブトレイ３ａの穴１９ａに嵌入する。
【００３０】
（ＭＯＤＥ６）はイジェクトセレクト２
ディスクを交換する場合、上段及び中段のサブトレイ３ａ，３ｂがメイントレイ２と共にイジェクトしないようにロックされる。ギアカム７がさらに回転してこの位置に達したところで、上記サブトレイ３ａ，３ｂが選択される。そして、メイントレイ２がイジェクトされるならば、下段に位置して表面化したサブトレイ３ｃに載置されているディスクの交換が行なわれる。すなわち、前記図５に示すように、セレクターサブトレイ１０の先端１８がサブトレイ３ａ，３ｂの穴１９ａ、１９ｂに嵌入する。
【００３１】
以上述べたように、本発明のディスク選択装置はサブトレイの側部に穴を設け、該穴にギアカムの回転により作動するセレクターサブトレイの先端を嵌めてロックするものであり、次のような効果を得ることが出来る。
【００３２】
【発明の効果】
本発明のディスクチェンジャーのディスク選択装置は、サブトレイの側部に設けた穴にセレクターサブトレイの先端を嵌入してロックし、メイントレイに載って搬出されないようにしている。そして、セレクターサブトレイはギアカムの回転によってレバーセレクターが揺動し、該レバーセレクターの揺動にてセレクターをスライドし、そして、セレクターのスライドにて上記セレクターサブトレイを作動している。このように、ディスク選択装置は完全なメカで構成され、電気的なトラブルはなく、ディスク交換に伴うサブトレイの選択を正確に、しかも安定して行なうことが出来る。
【図面の簡単な説明】
【図１】ディスクチェンジャーの外観図の一部。
【図２】ディスクチェンジャーの内部構造図。
【図３】ディスク選択装置で、セレクターサブトレイの先端がサブトレイの穴から外れている場合。
【図４】ディスク選択装置で、セレクターサブトレイの先端が上段サブトレイの穴に嵌入している場合。
【図５】ディスク選択装置で、セレクターサブトレイの先端が上段及び中段サブトレイの穴に嵌入している場合。
【図６】ギアカムの回転に伴うモード。
【符号の説明】
１  本体フレーム
２  メイントレイ
３  サブトレイ
４  外周縁
５  トラバースユニット
６  ターンテーブル
７  ギアカム
８  レバーセレクター
９  セレクター
１０  セレクターサブトレイ
１３  カム
１４  ピン
１８  先端
１９  穴
２１  ラチェット
【図１】
2005018935.tif 000003
【図２】
2005018935.tif 000004
【図３】
2005018935.tif 000005
【図４】
2005018935.tif 000006
【図５】
2005018935.tif 000007
【図６】
2005018935.tif 000008